(57)【特許請求の範囲】
【請求項１】
ブレスレットの長さを使用者の手首のサイズに合わせて調節することができるブレスレット用留め金装置であって、該装置は、
相対的にスライド可能な第一及び第二の細長いエレメント（１、１）と、
互いにロック可能なスライド部品（６ａ）と固定部品（６ｂ）とからなる締め金と、
を備え、
前記第一及び第二の細長いエレメント（１）は、それぞれ長手方向に設けたスリット（２）と、端部両側に設けた一対の突起（５）を有し、スリット（２）内に配置した両側ボタン（４）によって互いに固定可能であり、
スライド部品（６ａ）は、第一の細長いエレメント（１）の突起（５）が係合する溝（３）を有し、溝（３）に突起（５）を係合させることによりスライド部品（６ａ）が第一の細長いエレメント（１）を保持し、
第一及び第二の細長いエレメント（１、１）を相対的にスライドさせることによりブレスレットの長さを調節した後、スライド部品（６ａ）と固定部品（６ｂ）とを互いにロックしてブレスレットの長さを固定することを特徴とする、留め金装置。
【請求項２】
前記スライド部品（６ａ）が歯部を有し、前記固定部品（６ｂ）が多数の孔を有し、ブレスレットの長さを調節した後、該歯部を該孔に係合させることにより、スライド部品（６ａ）と固定部品（６ｂ）とを横方向に互いにロックすることを特徴とする、請求項１に記載の留め金装置。
【請求項３】
各溝（３）の一端に停止用切欠き（７）を有する、請求項１又は２に記載の留め金装置。
【発明の詳細な説明】
【技術分野】
【０００１】
本発明は、ブレスレット用の調節可能な留め金装置に関する。本発明は、相対的にスライドして、ブレスレットの長さを手首のサイズに合わせることができるようにする細長い部品(1)を特徴とする。
【背景技術】
【０００２】
今日、折畳んだ状態から開くループを特徴とするブレスレット用の留め金装置がよく知られており、このループは、一方のループが他方のループ上に折畳まれるものである。特許を受けているいくつかの装置（例えば米国特許第４４２４６１１号、同第５７７１５４３号、特開平１０−１２７３１８号、米国特許第２３９４８５５６号）は、ブレスレットの長さを調節できることを示している。この場合、調節を行うためには、宝石職人や時計職人の助けが必要であったり、特殊な工具を使用したりする必要がある。また、長さを伸ばす自由度は低くなっている。
【発明の概要】
【発明が解決しようとする課題】
【０００３】
本発明の目的は、いつでも容易に、簡単な一工程で合わせることができる細長い部品を設けることにより、このような調節における問題点に新たな解決策をもたらすことである。ブレスレットの装着者は、いかなる特別な物（工具等）をも使用することなく、また他人の助けを借りることなく、ブレスレットの長さをいつでも好きな時に自分の手首のサイズに合わせて調節することができる。
【０００４】
特許を受けている上述の装置も満足のいくものではあるが、本発明と同じ特徴を有するものでは全くない。
【０００５】
出願人は、専門家の助けを借りて、国際的な特許調査に関するウェブサイトwww.espacenet.chで調査を行ったが、本発明に類似するスライド装置は見出せなかった。
【課題を解決するための手段】
【０００６】
本発明によれば、ブレスレットの長さを使用者の手首のサイズに合わせて調節することができるブレスレット用留め金装置であって、該装置は、相対的にスライド可能な第一及び第二の細長いエレメント（１、１）と、互いにロック可能なスライド部品（６ａ）と固定部品（６ｂ）とからなる締め金と、を備え、  前記第一及び第二の細長いエレメント（１）は、それぞれ長手方向に設けたスリット（２）と、端部両側に設けた一対の突起（５）を有し、スリット（２）内に配置した両側ボタン（４）によって互いに固定可能であり、スライド部品（６ａ）は、第一の細長いエレメント（１）の突起（５）が係合する溝（３）を有し、溝（３）に突起（５）を係合させることによりスライド部品（６ａ）が第一の細長いエレメント（１）を保持し、第一及び第二の細長いエレメント（１、１）を相対的にスライドさせることによりブレスレットの長さを調節した後、スライド部品（６ａ）と固定部品（６ｂ）とを互いにロックしてブレスレットの長さを固定することを特徴とする、留め金装置が提供される。
【０００７】
この留め金装置において、スライド部品（６ａ）が歯部を有し、固定部品（６ｂ）が多数の孔を有することが好ましい。ブレスレットの長さを調節した後、該歯部を該孔に係合させることにより、スライド部品（６ａ）と固定部品（６ｂ）とを横方向に互いにロックすることが好ましい。
【０００８】
またこの留め金装置において、各溝（３）の一端に停止用切欠き（７）を有することが好ましい。
【図面の簡単な説明】
【０００９】
【図１】図１は、本願発明のブレスレット用の調節可能な留め金装置を示す図である。
【図２】図２は、図1の留め金装置を裏側から見た図である。
【図３】図３は、図１の留め金装置のスライド部品（６ａ）を示す図である。
【図４】図４は、図１の留め金装置の両側ボタン（４）を示す図である。
【図５】図５は、図１の留め金装置の第一及び第二の細長いエレメント（１、１）を両側ボタン（４）によって固定した図である。
【図６】図６は、図１の留め金装置の細長いエレメント（１）を示す図である。
【図７】図７は、図６の細長いエレメント（１）を別の角度から見た図である。
【発明を実施するための形態】
【００１０】
本発明の留め金装置は、ブレスレットの長さを使用者の手首のサイズに合わせて調節することができる装置である。この装置は、相対的にスライド可能な第一及び第二の細長いエレメント（１、１）と、互いにロック可能なスライド部品（６ａ）と固定部品（６ｂ）とからなる締め金とを備える。
【００１１】
第一及び第二の細長いエレメント（１）は、それぞれ長手方向に設けたスリット（２）と、端部両側に設けた一対の突起（５）を有する。また第一及び第二の細長いエレメント（１）は、このスリット（２）内に配置した両側ボタン（４）によって互いに固定可能である。
【００１２】
スライド部品（６ａ）は、第一の細長いエレメント（１）の突起（５）が係合する溝（３）を有する。この溝（３）に突起（５）を係合させることにより、スライド部品（６ａ）が第一の細長いエレメント（１）を保持する。
【００１３】
第一及び第二の細長いエレメント（１、１）を相対的にスライドさせることによりブレスレットの長さを調節した後、スライド部品（６ａ）と固定部品（６ｂ）とを互いにロックしてブレスレットの長さを固定する。
【００１４】
この留め金装置において、スライド部品（６ａ）が歯部を有し、固定部品（６ｂ）が多数の孔を有していてもよい。ブレスレットの長さを調節した後、該歯部を該孔に係合させることにより、スライド部品（６ａ）と固定部品（６ｂ）とを横方向に互いにロックすることができる。
【００１５】
またこの留め金装置において、各溝（３）の一端に停止用切欠き（７）を有していてもよい。
【図１】
0004809780.tif 000002
【図２】
0004809780.tif 000003
【図３】
0004809780.tif 000004
【図４】
0004809780.tif 000005
【図５】
0004809780.tif 000006
【図６】
0004809780.tif 000007
【図７】
0004809780.tif 000008